(57)【特許請求の範囲】
【請求項１】
熱交換器および送風機等が組み付けられるベース本体を備え、その内面側に組み付けられた前記熱交換器から延長される冷媒配管を前記ベース本体の背面側に取り出し、その冷媒配管を前記ベース本体の背面に沿わせて配設している壁掛け型空気調和機において、
前記ベース本体が、前記冷媒配管を貫通する部位で縦方向に分離されて左右に分割可能とされ、分割可能とされた側部パイプカバーが前記ベース本体に対して着脱自在とされていることを特徴とする壁掛け型空気調和機。
【請求項２】
前記ベース本体と前記側部パイプカバーとの間に、少なくとも上下２箇所にネジ止め部および係止部が設けられ、前記側部パイプカバーが前記ベース本体に対して前記係止部により係止された後、ネジ止めされることにより着脱自在とされていることを特徴とする請求項１に記載の壁掛け型空気調和機。
【請求項３】
前記側部パイプカバーは、前記ベース本体が壁面に設置される据え付け板への取付け部よりも側部位置で左右に分割されていることを特徴とする請求項１または２に記載の壁掛け型空気調和機。
【発明の詳細な説明】
【技術分野】
【０００１】
本発明は、壁面に据え付ける壁掛け型空気調和機に関するものである。
【背景技術】
【０００２】
室内の壁面に据え付けられる壁掛け型空気調和機では、ユニット内部に組み込まれている熱交換器から延長される冷媒配管を、ユニットのベース本体を貫通させて背面側に取り出し、その冷媒配管をベース本体の背面に沿わせて配設し、適宜の位置で壁面を貫通させて室外側に取り出すことにより、室外ユニットと接続するようにしている（例えば、特許文献１参照）。
【０００３】
このような壁掛け型空気調和機においては、組み立て時、熱交換器をユニットの側面側から挿入するようにしているが、近年、Λ形に折り曲げ形成された熱交換器が用いられることが多く、この場合、背面側に配置される熱交換器が、ドレンパンに接触し易く、組み立てが容易ではなかった。そこで、ベース本体の側方部の上面に冷媒配管を通す切欠き部を設け、該切欠き部を通して冷媒配管をベース本体の内面側から背面側に取り出すようにしたものが、特許文献２により提供されている。
【先行技術文献】
【特許文献】
【０００４】
【特許文献１】実公昭６２−２４１９号公報
【特許文献２】特開２００５−１８８８３１号公報
【発明の概要】
【発明が解決しようとする課題】
【０００５】
しかしながら、上記の如く、ベース本体に冷媒配管を通すための切欠き部を設けたものにあっては、熱交換器、送風機、前面パネル等が組み付けられるベース本体の強度が低下してしまう虞があった。また、切欠き部に冷媒配管を通すには、熱交換器をベース本体の上方部から切欠き部に沿って下方に下ろすようにしなければならず、必ずしも組み立て性が良好とは云えない面があった。
【０００６】
本発明は、このような事情に鑑みてなされたものであって、ベース本体に対する熱交換器の組み立て性を改善するとともに、ベース本体の強度を十分確保することができる壁掛け型空気調和機を提供することを目的とする。
【課題を解決するための手段】
【０００７】
上記した課題を解決するために、本発明の壁掛け型空気調和機は、以下の手段を採用している。
すなわち、本発明にかかる壁掛け型空気調和機は、熱交換器および送風機等が組み付けられるベース本体を備え、その内面側に組み付けられた前記熱交換器から延長される冷媒配管を前記ベース本体の背面側に取り出し、その冷媒配管を前記ベース本体の背面に沿わせて配設している壁掛け型空気調和機において、前記ベース本体が、前記冷媒配管を貫通する部位で縦方向に分離されて左右に分割可能とされ、分割可能とされた側部パイプカバーが前記ベース本体に対して着脱自在とされていることを特徴とする。
【０００８】
本発明によれば、ベース本体が、冷媒配管を貫通する部位で縦方向に分離されて左右に分割可能とされ、分割可能とされた側部パイプカバーがベース本体に対して着脱自在とされているため、分割可能とされた側部パイプカバーを取り外し、冷媒配管が貫通される部位の一側を開放した状態で熱交換器をベース本体に組み込むことにより、熱交換器の組み込み方向に制約されることなく、冷媒配管をベース本体の貫通部位に対して直に位置決めして組み込むことができ、その後、側部パイプカバーをベース本体に取り付けることによって、熱交換器をそこから延長されている冷媒配管をベース本体の背面側に貫通させた状態でベース本体に組み付けることができる。従って、熱交換器から延長されている冷媒配管を貫通穴に通したり、切欠き部に沿って下方に下したりする必要がなく、熱交換器の組み立て性を大幅に改善することができる。
【０００９】
さらに、本発明の壁掛け型空気調和機は、上記の壁掛け型空気調和機において、前記ベース本体と前記側部パイプカバーとの間に、少なくとも上下２箇所にネジ止め部および係止部が設けられ、前記側部パイプカバーが前記ベース本体に対して前記係止部により係止された後、ネジ止めされることにより着脱自在とされていることを特徴とする。
【００１０】
本発明によれば、ベース本体と側部パイプカバーとの間に、少なくとも上下２箇所にネジ止め部および係止部が設けられ、側部パイプカバーがベース本体に対して係止部により係止された後、ネジ止めされることにより着脱自在とされているため、ベース本体から分割可能とされた側部パイプカバーを、その左右分割位置において少なくとも上下２箇所に設けられているネジ止め部および係止部により、ベース本体に対して着脱自在とすることができる。従って、分割された側部パイプカバーについて、比較的容易に結合強度を確保することができる。
【００１１】
さらに、本発明の壁掛け型空気調和機は、上述のいずれかの壁掛け型空気調和機において、前記側部パイプカバーは、前記ベース本体が壁面に設置される据え付け板への取付け部よりも側部位置で左右に分割されていることを特徴とする。
【００１２】
本発明によれば、側部パイプカバーが、ベース本体が壁面に設置される据え付け板への取付け部よりも側部位置で左右に分割されているため、ベース本体の左右分割位置が据え付け板への取付け部にかかることはなく、ベース本体の分割が空気調和機の据え付け強度に影響を及ぼす事態を回避することができる。従って、ベース本体の分割に拘らず、据え付け性を維持、確保することができる。
【発明の効果】
【００１３】
本発明によると、分割可能とされた側部パイプカバーを取り外し、冷媒配管が貫通される部位の一側を開放した状態で熱交換器をベース本体に組み込むことにより、熱交換器の組み込み方向に制約されることなく、冷媒配管をベース本体の貫通部位に対して直に位置決めして組み込むことができ、その後、側部パイプカバーをベース本体に取り付けることによって、熱交換器をそこから延長されている冷媒配管をベース本体の背面側に貫通させた状態でベース本体に組み付けることができるため、熱交換器から延長されている冷媒配管を貫通穴に通したり、切欠き部に沿って下方に下したりする必要がなく、熱交換器の組み立て性を大幅に改善することができる。
【図面の簡単な説明】
【００１４】
【図１】本発明の一実施形態に係る壁掛け型空気調和機の分解斜視図である。
【図２】図１に示す壁掛け型空気調和機のベース本体の分解斜視図である。
【図３】図２に示すベース本体の組み立て状態の斜視図である。
【図４】図３に示すベース本体を内面側から見た側方部分のみの正面視図である。
【図５】図４に示すベース本体を背面下方側から見た斜視図である。
【図６】図４に示すベース本体の下部ネジ止め部の横断面図である。
【図７】図４に示すベース本体の上部ネジ止め部の横断面図である。
【発明を実施するための形態】
【００１５】
以下に、本発明の一実施形態について、図１ないし図７を参照して説明する。
図１には、壁掛け型空気調和機の分解斜視図が示されている。
壁掛け型空気調和機１は、壁面に設置される据え付け板２と、据え付け板２に装着されるベース本体３と、ベース本体３に組み付けられる送風機（クロスフローファン）４およびその駆動モータ５と、ベース本体３に組み付けられる熱交換器６と、熱交換器６の一側から後方に延長される冷媒配管７と、ベース本体３に組み付けられるコントロールボックス８と、ベース本体３に組み付けられる吹出口アッセンブリ９と、ベース本体３に組み付けられた各機器類の前面、上下面および左右側面を覆うようにベース本体３に組み付けられるフロントカバー１０と、フロントカバー１０に組み込まれるエアフィルタおよびその清掃機構１１と、フロントカバー１０にその前面を覆うように取り付けられるフロントパネル１２等々を組み立てることにより構成されるものである。
【００１６】
ベース本体３は、壁面に設置された据え付け板２に装着されることにより、空気調和機１を据え付け支持するものであり、Λ形に曲げ形成された熱交換器６の背面側熱交換器に対するドレンパンやクロスフローファン４の風路の一部が一体に形成されている。クロスフローファン４は、ベース本体３の風路に沿って水平に配設される筒状の羽根車を備えたものであり、駆動モータ５を介してベース本体３に回転自在に支持されている。
【００１７】
熱交換器６は、Λ形に折り曲げ形成されたフィン＆チューブ形熱交換器であり、クロスフローファン４の上面および前面を覆うように設置されている。熱交換器６の一側から冷媒を循環させるための冷媒配管７が後方に延長されている。なお、この冷媒配管７は、２本の液管およびガス管が太い断熱性の補助パイプ７Ａ内に収容された構成（図６参照）とされている。また、熱交換器６の前面側熱交換器の下方部位には、ドレンパン１３、クロスフローファン４の風路を形成するスタビライザ１４、風向調整用のルーバーおよびフラップ等が組み込まれた吹出し口１５等からなる吹出口アッセンブリ９が組み付けられるようになっている。
【００１８】
コントロールボックス８は、ベース本体３の右側部に組み込まれ、リモコンからの指令によって空気調和機１の運転を制御するものである。フロントカバー１０は、ベース本体３に組み込まれた上記機器類の前面、上下面および左右側面を覆うものであり、上面および前面に室内空気を吸込むための吸込みグリル１６が形成されている。この吸込みグリル１６には、吸込みグリル１６を介して吸込まれる室内空気中の塵埃を収集するエアフィルタおよびエアフィルタで収集した塵埃をフィルタ面から除去し、エアフィルタを自動清掃する清掃機構１１が組み込まれている。また、吸込みグリル１６の前面には、フロントパネル１２が上部を支点に開閉可能に組み付けられている。
【００１９】
さらに、上記熱交換器６のベース本体３への組み付けに際し、熱交換器６の一側から後方に延長されている冷媒配管７を、ベース本体３を貫通させてその背面側に取り出す必要がある。そこで、本実施形態では、ベース本体３を、図２に示されるように、冷媒配管７が貫通する部位で縦方向に分離し、左右に分割可能な構成としている。そして、ベース本体３から分割可能とされた側部パイプカバー１７をベース本体３対して着脱自在に構成している。図３は、冷媒配管７を貫通させ、側部パイプカバー１７をベース本体３に取り付けた状態（ただし、熱交換器６等は省略）を示している。
【００２０】
側部パイプカバー１７は、ベース本体３を壁面に設置された据え付け板２に装着するための取付け部１８よりも側部位置で左右に分割されており、冷媒配管７をベース本体３の背面側に貫通し、貫通位置から下方に延長する切欠き部１９が形成されている。冷媒配管７は、図５に示されるように、下方に延長された後、ベース本体３の背面下部に沿って左方向（図示の方向）または右方向のいずれかに配設されるようになっている。
【００２１】
また、側部パイプカバー１７は、図４および図６、図７に示されるように、冷媒配管７を貫通させた状態でベース本体３に対して、少なくとも上下２箇所に設けられているネジ止め部２０，２１および係合部２４，２５を介して着脱自在に結合されるように構成されている。ネジ止め部２０，２１は、側部パイプカバー１７に一体成形されているネジボス部２０Ａ，２１Ａに対し、ベース本体３に設けられているネジ穴を通してネジ２２，２３を締め付け固定するものである。
【００２２】
さらに、係合部２４，２５は、ベース本体３と側部パイプカバー１７との突き合わせ面に設けられ、前後方向への相対的スライドにより互いに噛み合わされる台形状の複数の凹凸２４Ａ，２４Ｂおよび２５Ａ，２５Ｂによって構成されている。なお、台形状の凹凸２４Ａ，２４Ｂおよび２５Ａ，２５Ｂは、凸２４Ａ，２５Ａの先端側、凹２４Ｂ，２５Ｂの溝底側が幅広とされた凹凸とされている。
【００２３】
これによって、側部パイプカバー１７は、ベース本体３に対する熱交換器６および冷媒配管７の組み付け時に取り外され、熱交換器６および冷媒配管７を組み付け後、上下２箇所の係合部２４，２５を、凹凸２４Ａ，２４Ｂおよび２５Ａ，２５Ｂ同士を噛み合わせて係合し、更にネジ２２，２３を上下２箇所のネジボス部２０Ａ，２１Ａにネジ込んで締め付け固定することにより、ベース本体３に対して強固に一体に結合されるように構成されている。
【００２４】
以上に説明の構成により、本実施形態によれば、以下の作用効果を奏する。
壁掛け型空気調和機１の組み立て時において、ベース本体３に対する熱交換器６および冷媒配管７の組み付け時には、側部パイプカバー１７をベース本体３から取り外した状態としておく。これによって、冷媒配管７の貫通部位の側面の全面が開放された状態となっているため、Λ形に曲げ形成されている熱交換器６をベース本体３の側面側から挿入することにより、熱交換器６の一側面から延長されている冷媒配管７を直にベース本体３の貫通部位に位置決めすることができる。
【００２５】
この状態で側部パイプカバー１７を側方からベース本体３の分割された側面に位置合わせし、その上下２箇所に設けられている係止部２４，２５の凹凸２４Ａ，２４Ｂおよび２５Ａ，２５Ｂ同士を互いに噛み合わせて係合した後、上下２箇所のネジ止め部２０，２１に設けられているネジボス部２０Ａ，２１Ａにベース本体３側からネジ２２，２３を通して締め付け固定することにより、側部パイプカバー１７をベース本体３に対して一体に結合することができる。
【００２６】
このように、壁掛け型空気調和機１を構成する熱交換器６等々の各機器を組み付けるためのベース本体３を、冷媒配管７が貫通する部位で縦方向に分離して左右に分割可能な構成とし、分割可能とされた側部パイプカバー１７をベース本体３に対して着脱自在に組み付けできるようにしている。このため、分割可能とされている側部パイプカバー１７を取り外し、冷媒配管７が貫通する部位の一側面を開放した状態として熱交換器６をベース本体３に組み込むことにより、熱交換器６の組み込み方向に制約されることなく、冷媒配管７をベース本体３の貫通部位に対して直に位置決めして組み込むことができ、その後、側部パイプカバー１７をベース本体３に取り付けることにより、熱交換器６をその冷媒配管７を背面側に貫通させた状態でベース本体３に対して組み付けることができる。
【００２７】
従って、本実施形態によれば、熱交換器６から延長されている冷媒配管７を貫通穴に通したり、切欠き部に沿って下方に下したりする必要がなく、熱交換器６の組み立て性を改善し、その向上を図ることができる。
【００２８】
また、ベース本体３と側部パイプカバー１７との間に、少なくとも上下２箇所にネジ止め部２０，２１と係止部２４，２５とが設けられており、ベース本体３に対して側部パイプカバー１７が係止部２４，２５により係止された後、ネジ止めされることにより着脱自在とされているため、ベース本体３から分割可能とされた側部パイプカバー１７を、その左右分割位置において少なくとも上下２箇所に設けられているネジ止め部２０，２１および係止部２４，２５により、ベース本体３に対して着脱自在とすることができる。これによって、分割された側部パイプカバー１７について、比較的容易に結合強度を確保することができる。
【００２９】
さらに、本実施形態では、側部パイプカバー１７を、ベース本体３が壁面に設置される据え付け板２への取付け部１８よりも側部位置で左右に分割している。このため、ベース本体３の左右分割位置が据え付け板２への取付け部１８にかかることはなく、ベース本体３の分割が空気調和機１の据え付け強度に影響を及ぼす事態を避けることができる。これによって、ベース本体３の分割に拘らず、据え付け性を維持、確保することができる。
【００３０】
なお、本発明は、上記実施形態にかかる発明に限定されるものではなく、その要旨を逸脱しない範囲において、適宜変形が可能である。例えば、上記実施形態では、冷媒配管７を断熱性の補助パイプ７Ａに収容した構成としているが、補助パイプ７Ａは必須のものではなく、省略あるいは補助パイプ７Ａに代わる他の手段を用いたものとしてもよい。
【００３１】
また、側部パイプカバー１７のベース本体３に対する組み付け構造についても、上記実施形態の構造に限定されるものではなく、他の結合構造を採用してもよい。さらに、壁掛け型空気調和機１の全体構成についても、上記実施形態の構成は一例に過ぎず、ベース本体を備えた様々な構成の壁掛け型空気調和機に同様に適用できることはもちろんである。
【符号の説明】
【００３２】
１  壁掛け型空気調和機
２  据え付け板
３  ベース本体
４  送風機（クロスフローファン）
６  熱交換器
７  冷媒配管
７Ａ  補助パイプ
１７  側部パイプカバー
１８  取付け部
２０，２１  ネジ止め部
２４，２５  係止部
【図１】
0005888965.tif 000002
【図２】
0005888965.tif 000003
【図３】
0005888965.tif 000004
【図４】
0005888965.tif 000005
【図５】
0005888965.tif 000006
【図６】
0005888965.tif 000007
【図７】
0005888965.tif 000008